(57)【要約】      （修正有）【課題】安価で小型化を可能とする電池レスリモコン装置を提供する。【解決手段】ボタン２０は、被押圧部２１、スイッチ押圧部２５及びカム部２６を備えている。被押圧部２１は例えば円板状であってその表面にはボタンの作用を把握できるように、文字や記号が印刷されている。被押圧部２１の裏面において中心から対象の位置に同一板状のカム部２６が設けられ、各カム部２６の自由端の両角に夫々第１カム部が形成される。４つの第１のカム部は、平面視において、被押圧部２１の中心から放射状の位置に点対称に配置される。被押圧部２１の中心以外の部分が押された場合に、傾いた部分がその下方のカム機構で支持される。よって、被押圧部２１は殆どかしがずにその水平状態を維持する。【選択図】図２
2019029872.tif 000002
【特許請求の範囲】
【請求項１】
ケースと、
該ケースへ移動可能に取り付けられる複数のボタンと、
前記ボタンの操作の力を利用して電力を発生する発電素子と、
前記ボタンの操作を検出するボタン操作検出部と、
前記ボタン操作検出部の検出結果に基づき、外部へ所定の信号を発信する発信回路であって、発信の電力が前記発電素子から供給される発信回路と、
前記各ボタンの操作に連動して前記発電素子に作用して発電をさせる発電素子操作部であって、本体部と、該本体部と前記各ボタン繋ぐ第１連結部と、前記本体部と前記発電素子とを繋ぐ第２連結部とを備え、
少なくとも１つの前記ボタンが操作されたとき前記第１連結部を介して前記本体部は前記ケース内を移動し、かつ前記各ボタンの操作が停止されたとき操作前の位置に戻り、
前記第２連結部は前記本体部の移動に伴い前記発電素子に作用して発電させる、電池レスリモコン装置において、
前記本体部は前記ボタンに対向する部分に貫通孔を備え、該貫通孔の周面に前記本体部の前記第１連結部が結合される、電池レスリモコン装置。
【請求項２】
前記本体部において貫通孔において移動方向下流側の周面が移動方向に対して直交する、請求項１に記載の電池レスリモコン装置。
【請求項３】
前記本体部は一対の縦木部と該縦木部に懸架された複数の横木部とを備えたラダー形状にして、前記貫通孔を矩形とし、前記横木部の側面に前記１連結部が形成される、請求項２に記載の電池レスリモコン装置。
【請求項４】
前記第１連結部は、前記ボタンに形成された第１カム部と、該第１カム部に対向して前記本体部の貫通孔の周面に形成された第１カムフォロア部とを備えてなり、前記ボタンの操作により前記第１カム部が前記第１カムフォロア部を押圧して前記本体部を移動させる、請求項１〜３のいずれかに記載の電池レスリモコン装置。
【請求項５】
前記各貫通孔の周面の同一側側面に形成された傾斜面又は曲面が前記カムフォロア部となる、請求項４に記載の電池レスリモコン装置。
【請求項６】
前記第１連結部は、前記ボタンに形成された第１カム部と第１カムフォロア部としての前記横木部とからなり、前記横木部は棒状ローラであって、前記ボタンの操作により前記第１カム部が前記棒状ローラの横木部を押圧して前記本体部を移動させる、請求項３に記載の電池レスリモコン装置。
【請求項７】
前記ボタン検出部はプッシュボタンスイッチであり、前記本体部の貫通孔内に前記ボタンに対向してそれぞれ配置され、前記ボタンが押圧されたとき前記発信回路へ信号を送る検出部と、該ボタンをその押圧方向と反対の方向へ付勢する第１弾性部材とを備える、請求項１〜６の何れかに記載の電池レスリモコン装置。
【請求項８】
前記本体部と前記ケースとの間に第２弾性部材が備えられ、該第２弾性部材は前記ボタンの操作により移動した前記本体部を移動前の位置側へ付勢する、
請求項７に記載の電池レスリモコン装置。
【請求項９】
前記本体部の縦木部に形成された第２カム部と前記発電素子に形成されて前記第２カム部に対向する第２カムフォロア部とから前記第２連結部が形成される、請求項３に記載の電池レスリモコン装置。
【請求項１０】
前記本体部において一対の横木部が第１カムフォロア部を構成し、前記ボタンには該一対の横木部に対向するように傾斜面が形成され、
前記一対の横木部の間にプッシュボタンスイッチ式のボタン検出部が配置される、請求項３に記載の電池レスリモコン装置。
【請求項１１】
電池レスリモコン装置において、ボタンの押下力を発電素子へ伝達する発電素子操作部に用いられるリンク部材であって、
ボタンの押圧を検出するスイッチを挿入可能な貫通孔を備え、該貫通孔の周面に前記ボタンに形成されたカム部と対向するカムフォロア部が形成されている、リンク部材。
【請求項１２】
一対の縦木部と該縦木部に懸架された複数の横木部とを備えたラダー形状にして、前記貫通孔を矩形とし、前記横木部の側面に前記カムフォロア部が形成される、請求項１１に記載のリンク部材。
【発明の詳細な説明】
【技術分野】
【０００１】
本発明は電池レスリモコン装置に関する。
【背景技術】
【０００２】
電池交換を必要としない電池レスリモコン装置が、例えば、トイレの分野で提供されている（特許文献１参照）。
この装置では、ケースと、ケースに収納され押圧されることで発電可能な発電装置と、ケースの表面に設けられる複数のボタンと、複数のボタンの何れか一つが押圧されると発電装置を押圧するように移動するリンク機構と、を有し、ケースに対して複数のボタンが弾性部材によって支持され、複数のボタンの何れか一つが押圧されリンク機構が移動するとき、押圧されていないボタンはリンク機構の動きに影響を受けないように構成されている。
【先行技術文献】
【特許文献】
【０００３】
【特許文献１】特開２０１５−１６８９５９号公報
【発明の概要】
【発明が解決しようとする課題】
【０００４】
特許文献１に記載の電池レスリモコン装置では、ボタンの動きが連動していないため、ボタンを押す際に余計な押圧力が発生せず、使用者にとって使い勝手のよいものとなる。
このような電池レスリモコン装置にも、製造コストを低減する要請があり、かかる観点からこの装置の実施例を眺めると、ボタンの押下動作を回転動作に変換する構造を要するため、部品点数の増大、ひいては製造コストの増大を否めない。
特許文献１の図８に示される変形態様の例では、ボタンの下端をカム部として、リンクから突出させたカムフォロア部に対向させている。これにより、ボタンの押下移動をリンクの平行移動に直接変換している。しかしながら、カム部に対向するカムフォロア部の傾斜面には高さが必要なため、カムフォロア部をリンクから突出させる構造の装置には、当該高さを確保するために、全体として厚くなることが避けられない。
【課題解決するための手段】
【０００５】
本発明の一つの目的は上記課題を解決することにある。即ち、この発明の第１の局面は次のように規定される。
ケースと、
該ケースへ移動可能に取り付けられる複数のボタンと、
前記ボタンの操作の力を利用して電力を発生する発電素子と、
前記ボタンの操作を検出するボタン操作検出部と、
前記ボタン操作検出部の検出結果に基づき、外部へ所定の信号を発信する発信回路であって、発信の電力が前記発電素子から供給される発信回路と、
前記各ボタンの操作に連動して前記発電素子に作用して発電をさせる発電素子操作部であって、本体部と、該本体部と前記各ボタンとを繋ぐ第１連結部と、前記本体部と前記発電素子とを繋ぐ第２連結部とを備え、
少なくとも１つの前記ボタンが操作されたとき前記第１連結部を介して前記本体部は前記ケース内を移動し、かつ前記各ボタンの操作が停止されたとき前記本体部は操作前の位置に戻り、
前記第２連結部は前記本体部の移動に伴い前記発電素子に作用して発電させる、
電池レスリモコン装置において、
前記本体部は前記ボタンに対向する部分に貫通孔を備え、該貫通孔の周面に前記第１連結部が結合される、電池レスリモコン装置。
【０００６】
このように規定される第１の局面の電池レスリモコン装置によれば、本体部の貫通孔の周面に第１連結部が連結される。ボタン側のカム部と本体部側のカムフォロア部とで第１連結部を構成したとき、貫通孔の周面をカムフォロア部として利用することにより、本体部の厚みをカムフォロア部の斜面の高さとして利用できるので、本体部から突出したカムフォロア部は不要となる。
第１連結部はボタンの移動（例えば、ケースに対する垂直方向移動）を本体部の横移動（例えば、ケースに沿った移動）に変換するものである。既述のカム機構の他にもリンク機構を採用することができる。リンク機構においてもこれを構成するリンクやジョイントを貫通孔内に配置できるので、ケースを何ら厚くする必要がない。
【０００７】
貫通孔において移動方向下流側の周面が本体部の移動方向に対して直交することが好ましい（第２の局面）。これにより、第１連結部の連結が容易になる。
更には、本体部は一対の縦木部と該縦木部に懸架された複数の横木部とを備えたラダー形状にして、貫通孔を矩形とし、横木部の側面に第１連結部が形成されることが好ましい（第３の局面）。ラダー形状にすることで本体部を可及的に軽量化できる。また、横木部を縦木部に対して両持ちはりとすることで、横木部を棒状ローラとすることも可能となる。棒状ローラもカムフォロア部として利用できる。
【０００８】
この発明の第４の局面の電池レスリモコン装置は次のように規定される。
第１〜３のいずれかの局面で規定の電池レスリモコン装置において、
前記第１連結部は、前記ボタンに形成された第１カム部と、該第１カム部に対向して前記本体部の貫通孔の周面に形成された第１カムフォロア部とを備えてなり、前記ボタンの操作により前記第１カム部が前記第１カムフォロア部を押圧して前記本体部を移動させる。
この局面では、第１連結部がカム機構であることを規定する。カム機構はリンク機構に比べて部品点数が少なく、低コスト化の要請に適合する。
ここに、各ボタンの第１カム部は同一方向の傾斜面とする。ここでいう同一方向とは、発電素子を発電させる方向をいい、必ずしも物理的に同一方向を指すものはない。例えば、先行特許文献１に例示されているように、第１のリンク部材と第２のリンク部材とがギアより反対方向に移動する構造においては、第１のリンク部材に対向するカム部の斜面と第２のリンク部材に対向するカム部のそれとは物理的には反対向きであるが、発電素子を発電させる方向という観点からは同一方向と定義できる。これらリンク部材が本願発明の本体部に対応する。
ボタンの第１カム部の傾斜面に対して、貫通孔の周面にも傾斜面が形成される。即ち、各貫通孔において同一方向の周面に第１カムフォロア部としての傾斜面が形成される（第５の局面）。横木部は棒状ローラであってもよい（第６の局面）。棒状ローラのときは傾斜面は不要である。
ボタンの第１カム部として棒状ローラを採用してもよい。この場合には、各横木部において同一側の側面に傾斜面が形成される。
【０００９】
この発明の第５の局面は次のように規定される。即ち、第４の局面に規定の電池レスリモコン装置において、前記各貫通孔の周面の同一側側面に形成された傾斜面が前記カムフォロア部となる。
かかる構成を採用することにより、第１連結部の構造が簡素化される。
【００１０】
この発明の第６の局面は次にように規定される。即ち、第３の局面に規定の電池レスリモコン装置において、前記第１連結部は、前記ボタンに形成された第１カム部と第１カムフォロア部としての前記横木部とからなり、前記横木部は棒状ローラであって、前記ボタンの操作により前記第１カム部が前記棒状ローラの横木部を押圧して前記本体部を移動させる。
このように規定される第６の局面の電池レスリモコン装置によれば、棒状ローラの採用により、カム機構の駆動が滑らかになり、操作性が向上する。
【００１１】
この発明の第７の局面は次のように規定される。即ち、第１〜第６の何れかの局面に規定の電池レスリモコン装置において、前記ボタン検出部はプッシュボタンスイッチであり、前記本体部の貫通孔内に前記ボタンに対向してそれぞれ配置され、前記ボタンが押圧されたとき前記発信回路へ信号を送る検出部と、該ボタンをその押圧方向と反対の方向へ付勢する第１弾性部材とを備える。
このように規定される第７の局面の電池レスリモコン装置によれば、ボタン検出部が第１弾性部材を備えている。この第１の弾性部材はボタンが非押下状態でこれを弾性的に支え、ボタンが押下された後、押下が解放されたときにはボタンを押し返して元の位置に戻す。かかる弾性部材として圧縮コイルばねを用いることができる。この圧縮コイルばねは、従来ではボタンの押下を検出するスイッチとは別体として配置されていた。プッシュボタン式のスイッチを採用することにより、部品点数が削減される。勿論、ボタン操作を安定させるため、プッシュボタンスイッチとは別に、即ち追加して、圧縮コイルばねを採用してもよい。その他、同様の作用を奏するばね弾性を有する弾性部材、例えばゴム、エラストマー、引っ張りコイルばね、バネ板等を採用できる。
【００１２】
この局面において、プッシュボタンスイッチが本体部の貫通孔の内に配置されることを規定した。これは、本体部に貫通孔を設けたことにより得られる構造であり、これにより装置を小型化できる。
プッシュボタンスイッチの代わりに、汎用的な接触式スイッチ、非接触式スイッチをボタン操作検出部として採用することができる。これらの場合、圧縮コイルばねをボタンとケースとの間に介在させる。勿論、プッシュボタンスイッチを採用するときにも、別途圧縮コイルばねを介在させることができる。
発信回路には汎用的な回路を採用できる。なお、トイレ等では発信回路は無線の発信機の役割を果たしている。発信回路から発信される信号を有線で制御対象となる装置へ送信してもよい。
【００１３】
この発明の第８の局面は次のように規定される。即ち、第７の局面に規定の電池レスリモコン装置において、前記本体部と前記ケースとの間に第２弾性部材が備えられ、該第２弾性部材は前記ボタンの操作により移動した前記本体部を移動前の位置側へ付勢する。
このように規定される第８の局面に規定の電池レスリモコン装置によれば、ボタンの押下が解放されたとき、第２弾性部材により本体部自体が元の位置に戻される。このとき、当該本体部の移動にともない第１連結部を介してボタンも押し戻される。ここに、プッシュボタンスイッチによるボタンの戻し作用と相まって、ボタンをニュートラルにする作用が確実に実行される。
第２弾性部材にも圧縮コイルばねを採用できる。その他、同様の作用を奏するばね弾性を有する弾性部材、例えばゴム、エラストマー、引っ張りコイルばね、バネ板等を採用できる。
【００１４】
この発明の第９の局面は次のように規定される。即ち、第３の局面に規定の電池レスリモコン装置において、前記本体部の縦木部に形成された第２カム部と前記発電素子に形成されて前記第２カム部に対向する第２カムフォロア部とから前記第２連結部が形成される。
このように規定される第９の局面に規定の電池レスリモコン装置によれば、第２連結部にカム機構を採用したので、構造がシンプルになる。また、縦木に第２カム部を設けることで、発電素子の配置の自由度が増大する。
【００１５】
この発明の第１０の局面は次のように規定される。即ち、第３の局面に規定の電池レスリモコン装置において、前記本体部において一対の横木部が第１カムフォロア部を構成し、前記ボタンには該一対の横木部に対向するように傾斜面が形成され、
前記一対の横木部の間に前記プッシュボタンスイッチ式のボタン検出部が配置される。
このように規定される第１０の局面に規定の電池レスリモコン装置によれば、一対の横木部をカムフォロア部としそれに対向する一対のカム部をボタンに設けたので、ボタンと横木部との接触点が増大する。これによりボタンの押下動作が安定する。即ち、ボタンの押下方向においてボタンの投影面内に複数のカム−カムフォロアからなるカム機構を配置できる。よって、中心からずれた位置でボタンが押下されても、その押下動作が本体部に確実に伝達され、本体部の移動が安定する。
この局面では、横木部の間にプッシュブタンスイッチが配置される。このプッシュブタンスイッチは一対のカム部の間に配置されるので、ボタンの支持がより安定する。
【図面の簡単な説明】
【００１６】
【図１】図１はこの発明の実施の形態の電池レスリモコン装置の分解斜視図である。
【図２】図２はボタンの横断図である。
【図３】図３はボタンの縦断面図である。
【図４】図４は装置の動作を説明する断面図であって、ボタンの押下前の状態を示す。
【図５】図５は装置の動作を説明する断面図であって、ボタンの押下後の状態を示す。
【図６】図６はラダー形状の本体部を示す平面図である。
【図７】図７は他の実施形態の本体部を示す平面図である。
【図８】図８は図７に示す本体部に取り付けられるボタン及びスイッチを示す模式図である。
【発明を実施するための形態】
【００１７】
図１はこの発明の実施の形態の電池レスリモコン装置（以下「装置」と略することがある）１の分解斜視図である。
この装置１は、ケース１０、ボタン２０（図３参照）、発電素子操作部１００を備えている。
ケース１０は上蓋部１１と下蓋部３０とに分割され、上蓋部１１にはボタン孔１２があけられる。図２、３に示されるように、ボタン孔１２にはボタン２０がその軸方向、即ちケース１０の厚さ方向へ移動可能に挿着される。ボタン孔１２の周りにはリング状の補強部１４が形成されている。
【００１８】
ボタン２０は、被押圧部２１、スイッチ押圧部２５及びカム部２６を備えている。被押圧部２１は例えば円板状であってその表面にはボタンの作用を把握できるように、文字や記号が印刷されている。
被押圧部２１の周縁からはその意匠面と反対側（図２で下側）へ縁取り部２３が垂れ下がっている。この縁取り部２３はリング状であり、その外径寸法は上蓋部１１の補強部１４の内径寸法に略等しく、両者は摺動状態となる。縁取り部２３の下端は外方へ折れ曲がってフランジ２４を構成する。このフランジ２４は補強部１４の下端に当接して、ボタン２０が上蓋部１１から外れないようにしている。
【００１９】
被押圧部２１の裏面（意匠面と反対側面）のほぼ中央に棒状のスイッチ押圧部２５が突設される。このスイッチ押圧部２５はプッシュボタンスイッチ（以下、単に「スイッチ」と略することがある）２００に対向して、ボタン２０が押下されたときこのスイッチ２００を押圧してオンとする。スイッチ押圧部２５の形状は、スイッチ２００を押圧できるように任意に設計変更できる。
被押圧部２１の裏面において、スイッチ押圧部２５を挟むように一対のカム部２６が突設される。カム部２６は板状である。板の自由端（図３の下端）の両角に傾斜面が形成さる。この傾斜面が第１カム部２７となる。
この例では、被押圧部２１の裏面において中心から対象の位置に同一板状のカム部２６が設けられ、各板の自由端の両角に第１カム部２７が形成される。その結果、４つの第１のカム部２７は、平面視において、被押圧部２１の中心から放射状の位置にかつ点対称に配置される。よって、被押圧部２１の中心以外の部分が押された場合に、傾いた部分がその下方のカム機構で支持される。よって、被押圧部２１は殆どかしがずにその水平状態を維持し、横木部１３０を安定して押圧する。
勿論、カム部２６の構造は、その第１カム部２７で横木部（即ち、第１カムフォロア部）を押圧可能であれば、任意に設計可能である。
第１カム部２７として、この例では、平面状の傾斜面を採用したが、曲面であってもよい。曲面を採用した場合、ボタンに対する押圧力のフィーリングを変更できる。傾斜面の形成方向は同方向とし、本体部１０１の移動方向を向いている。第１カム部２７として棒状ローラを採用することができる。即ち、一対のカム部２６の自由端の両角に棒状ローラを懸架する。この場合、横木部１３０が傾斜面となる。この横木部の傾斜面は本体部１０１の移動方向と反対向きである。即ち、図示の傾斜面の第１カム部と対向する方向である。
【００２０】
本体部１０１は、図４に示すように、ラダー形状である。即ち、一対の縦木部１１０に複数の横木部１３０が懸架されている。この例では、この横木部１３０はボタン２０の第１カム部２７に対向する棒状ローラである。図４においては、この棒状ローラの他に、第２の横木部として補強梁１３３が架設されている。
この例では横木部１３０を棒状ローラとしてこれを第１カム部２７に対向する第１カムフォロア部としたが、横木部１３０を、非回転体、即ち棒体としてその第１カム部２７に対向する側面を傾斜面としてもよい。この傾斜面が第１カムフォロア部となる。
【００２１】
本体部１０１の縦木部１１０は長板状の部材であり、その下面にはスライド部１１１と被ガイド部１１３が形成されている。スライド部１１１は下蓋部３０に接触しこれに対し摺動可能である。スライド部１１１はボタン２０に対向する位置に形成することが好ましく、これにより、ボタン２０が押圧されて横木部１３０に下向きの力が加えられたときにも縦木部１１０は変形しない。
縦木部１１０の下面を全面的に下蓋部１３に接触させると、接触抵抗が大きくなるので、スライド部１１１の接触面積は限定される。換言すれば、縦板部１１０においてスライド部１１１以外の下面は下蓋部３０から離隔していることが好ましい。
この例では、離隔した下面の一部に板状の被ガイド部１１３が設けられている。下蓋部３０には被ガイド部１１３を挟むようにガイドレール３１が形成されている。ボタン２０が押圧されてその押圧力が第１カム部２７から縦木部１３０に伝達されると、縦木部１１０、即ち本体部１０１はこのガイドレール３１に沿って移動する。縦木部１１０の自由端には圧縮コイルばね１１５が下蓋部３０との間に設けられる。この圧縮コイルばね１１５は、ボタンの押下に従い移動してきた縦木部１１０をその移動と反対方向に付勢する。ここれにより、ボタンの押下操作が解放されたとき、縦木部１１０を元の位置に戻す。この戻し動作において、横木部１３０が第１カム部２７を押圧してボタン２０を持ち上げる。
【００２２】
一方の縦木部１１０の外方側面に第２カム部１２０が形成されている。
この第２カム部１２０は発電素子３００の可動部に対向している。即ち、縦木部１１０の移動に伴い第２カム部１２０が移動すると、これに対向するように配置された発電素子３００の可動部（第２カムフォロア部）が操作されて発電素子３００が発電する。
この例では発電素子３００として電磁誘導型のものを用いた。圧電素子型の発電素子を用いることもできる。発電素子３００は縦木部１１０の外方側面に対向するように配置されているが、発電素子３００の配設位置は特に限定されるものではなく、縦木部１１０の内方側面、上面、又は端面（圧縮コイルばね１１５側の面）に対向するように設けることができる。更には、横木部１３０に第２カム部を設けることも可能である。これらの場合、発電素子３００に対向するように第２カム部が設けられていることは言うまでもない。
【００２３】
ボタン２０の第１カム部２７が当接する一対の横木部１３０の間にスイッチ２００が配置される。このスイッチはプッシュボタン式であり、圧縮コイルばねを内蔵していて、ボタン２０が押下されるとこれを反対方向に付勢する。これにより、本体部１０１の縦木部１１０の端面に設けられた圧縮コイルばね１１５と協働して、ボタン２０を元の位置に戻す。
このスイッチ２００はボタンの押下に伴いオンとなる。即ち、ボタン２０の操作が検出される。このオンの状態が図示しない発信回路へ反映されて、当該オン状態に対応した信号が外部へ送信される。スイッチ２００のオンと同時に、発電素子３００もオンとなる。発電素子３００が発電した電力は発信回路へ供給され、もって、スイッチ２００のオン状態に対応した信号が外部へ発信される。ボタン操作の検出、発信回路及びこの発信回路へ発電素子から電力を供給するシステムは汎用的なものを利用できる。
このボタン２０はこのプッシュボタンスイッチに支えらえた状態である。
【００２４】
この例では、横木部１１０の間にスイッチ２００を配置したので、装置全体を、ケースの幅方向に対して、コンパクトにできる。また、横木部１１０の側面を第１フォロア部として利用するので、第１フォロア部を上方へ何ら突設する必要がなくなり、ケースの厚さ方向に対して、コンパクトにできる。
装置のコンパクト化の見地から上記の例を眺めると次のことが敷衍される。ケースの厚さ方向のコンパクト化において、ボタンの操作に連動して発電素子に作用して発電をさせる発電素子操作部の本体部（リンク機構）に貫通孔を形成して、その貫通孔の周面を第１カムフォロア部として利用すればよいことがわかる。また、この貫通孔内へスイッチを配設することで、ケースの幅方向のコンパクト化を達成できる。
【００２５】
図７及び図８には、他の発電素子操作部の本体部４００の例を示す。この本体部４００は板状の部材に貫通孔４０１が穿設されている。貫通孔４０１の形状は任意であるが、その周面において本体部４００の移動方向下流側の面が斜面、即ち第１カムフォロア面４０３とされる。
かかる本体部４００に対して、ボタン４２０はその中央部にカム部４２６が配置され、カム部４２６の下面が傾斜面（第１カム部４２７）とされる。符号４３０はプッシュボタンスイッチである。
上記において、貫通孔の周面は連続していなくてもよい。換言すれば、本体部の側面から切り欠きを設けてそれを貫通孔としてもよい。この場合、本体部の剛性を確保するため、材料、厚さ、切り欠きの大きさなど装置の用途に応じて適宜設計する。
本体部は直線状の板材に限定されず、二次元的にまた三次元的に屈曲していてもよい。また、特許文献１に示されるように複数の本体部をギアで連結することもできる。
【００２６】
図１〜６に示した電池レスリモコン装置１は次のように動作する。
ボタン２０を押下すると、カム部２６の自由端に形成された傾斜面又は曲面（第１カム部２７）がラダー形状の本体部１０１の横木部１３０を押圧する。これより、本体部１０１はケース１０の下蓋部３０の面に沿って移動する。移動方向を制御するためにガイドレール３１が用いられる。ボタンの押下によりスイッチ２００がオンとなり、当該ボタンが操作されたことが検出される。この検出結果に伴い、発信回路は当該ボタンに応じた信号を発信可能となる。また、ボタンの押下により、プッシュボタンスイッチに内蔵された圧縮コイルばねが、ボタンをその押下方向と反対側方向へ付勢する。
【００２７】
本体部１０１の移動に伴い、縦木部１１０の外方側面に設けられた第２カム部１２０が発電素子３００に作用して、即ちその可動部を変位させ電力を発生させる。この電力は発信回路に供給される。電力の供給を受けてた発信回路は、押下されたボタンに応じた信号を外部の制御対象に向けて発信する。
なお、ボタンの種類によっては、引っ張りやスライドにより操作される場合がある。この場合においてもボタンの移動方向に第１カム部を設け、この第１カム部に対向する第１カムフォロア部を備えた発電素子操作部を設ける。そして、その本体部に貫通孔を設けて周縁部を第１カムフォロア部とする。
これらの部品はスイッチや発電素子等の機能部品を除いて、樹脂で型成形可能である。よって、工業製品として安価に製造可能となる。
【００２８】
この発明は上記発明の実施の態様及び実施例の説明に何ら限定されるものではない。特許請求の範囲を逸脱せず、当業者が容易に想到できる範囲で種々の変形態様もこの発明に含まれる。
【００２９】
以下の事項を開示する。
ケースと、
該ケースへ移動可能に取り付けられる複数のボタンと、
前記ボタンの操作の力を利用して電力を発生する発電素子と、
前記ボタンの操作を検出するボタン操作検出部と、
前記ボタン操作検出部の検出結果に基づき、外部へ所定の信号を発信する発信回路であって、発信の電力が前記発電素子から供給される発信回路と、
前記各ボタンの操作に連動して前記発電素子に作用して発電をさせる発電素子操作部であって、本体部と、該本体部と前記各ボタン繋ぐ第１連結部と、前記本体部と前記発電素子とを繋ぐ第２連結部とを備え、
前記本体部は少なくとも１つの前記ボタンが操作されたとき前記第１連結部を介して前記ケース内において移動し、かつ前記各ボタンの操作が停止されたとき、操作前の位置に戻り、
前記第２連結部は前記本体部の移動に伴い前記発電素子に作用して発電させる、
電池レスリモコン装置。
【符号の説明】
【００３０】
１  電池レスリモコン装置
１０  ケース
２０  ボタン
２５  スイッチ押圧部
２６、４２  カム部
２７  第１カム部
３１  ガイドレール
１００  本体部
１１０  縦木部
１１５  コイルばね
１３０  横木部
２００、４３０  プッシュボタンスイッチ
【図１】
2019029872.tif 000003
【図２】
2019029872.tif 000004
【図３】
2019029872.tif 000005
【図４】
2019029872.tif 000006
【図５】
2019029872.tif 000007
【図６】
2019029872.tif 000008
【図７】
2019029872.tif 000009
【図８】
2019029872.tif 000010